(57)【要約】      （修正有）【課題】手間が掛からずかつ移動精度を向上させた屋根葺き用作業架台の移動装置を提供する。【解決手段】建物の屋根施工面に折板を送り出す折板成形機が頂部床に設置された作業架台を、建物に沿って移動させる屋根葺き用作業架台の移動装置である。作業架台が連結され、建物に沿って敷設されたレール１Ａ上を移動する移動桁４２Ａと、移動桁とレールとの間に配置されるチルタンク４３と、レール上に配置され、移動桁の長手方向端面を押圧して作業架台に移動力を付与するジャッキ装置４４とを有する。ジャッキ装置は、Ｈ型鋼のレールのフランジ部分を把持してジャッキ装置をレール上で固定する固定状態と、ジャッキ装置のレール上の移動を許容する固定解除状態とを切り替え可能に制御するクランプ機構４４Ａと、移動桁の長手方向端面に当接し、クランプ機構が固定状態のときに作業架台に移動力を付与するスライドジャッキ機構４４Ｂとを備える。【選択図】図４
0003223264.tif 000002
【実用新案登録請求の範囲】
【請求項１】
建物の屋根施工面に折板を送り出す折板成形機が頂部床に設置された作業架台を、建物に沿って前記折板の働き幅で移動させる屋根葺き用作業架台の移動装置であって、
屋根葺き用作業架台が連結され、建物に沿って敷設されたレール上を移動する移動桁と、
前記移動桁と前記レールとの間に配置されるチルタンクと、
前記レール上に配置され、前記移動桁の長手方向端面を押圧して屋根葺き用作業架台に移動力を付与するジャッキ装置と、を有し、
前記ジャッキ装置は、Ｈ型鋼の前記レールのフランジ部分を把持して前記ジャッキ装置を前記レール上で固定する固定状態と、前記固定状態を解除して前記ジャッキ装置の前記レール上の移動を許容する固定解除状態とを切り替え可能に制御するクランプ機構と、前記移動桁の長手方向端面に当接し、前記クランプ機構が前記固定状態のときに屋根葺き用作業架台に移動力を付与するスライドジャッキ機構と、を備えることを特徴とする屋根葺き用作業架台の移動装置。
【請求項２】
前記屋根葺き用作業架台は、前記折板を送り出す方向を長手方向とした長方形状に形成され、
前記移動桁は、所定の間隔を空けて複数本敷設された前記各レールに対応して前記長手方向において複数本設けられ、
複数の前記移動桁のうち、前記長手方向の端部に位置する第１移動桁の長さと、前記第１移動桁よりも長手方向内側に位置する第２移動桁の長さとが、異なるように形成され、
前記第２移動桁の長さが前記第１移動桁の長さよりも長い、または前記第１移動桁の長さが前記第２移動桁の長さよりも長い、ことを特徴とする請求項１に記載の屋根葺き用作業架台の移動装置。
【請求項３】
前記チルタンクは、ブラケットを介して前記移動桁に固定されており、
前記ブラケットは、Ｈ型鋼の前記レールのフランジ下面内側に延設された第１ガイド部又は／及びＨ型鋼の前記レールのフランジ側面に位置する第２ガイド部を備え、
前記ブラケットは、所定の間隔を空けて複数本敷設された前記各レールに対応した複数本の移動桁のうちの少なくても２つの前記移動桁に設けられることを特徴とする請求項１又は２に記載の屋根葺き用作業架台の移動装置。
【考案の詳細な説明】
【技術分野】
【０００１】
本考案は、建物に沿って移動する移動式作業架台の頂部床に、建物の屋根施工面に送出される折板を成形する折板成形機が固定載設され、移動式作業架台を折板の働き幅分移動させながら屋根施工を行う技術に関する。
【背景技術】
【０００２】
特許文献１に記載の屋根貼り工法は、建物に沿って地上で移動可能な移動式作業架台の頂部床に折板成形機が設けられ、移動式作業架台の下方側に折板の加工素材であるコイル状の薄鉄板が設けられている。引き出された薄鉄板は、頂部床の折板成形機まで搬送されて折板成形機において所定形状の折板に連続的に成形され、屋根施工面に送出される。
【０００３】
この特許文献１の屋根貼り工法は、移動式作業架台が、建物の屋根施工面に対応した高さ位置にまで組付けられ、下部に、地上に敷設されたレールに沿って移動させるための走行部が設けられている。そして、移動式作業架台を折板の働き幅分だけ順次移動させる。
【０００４】
特許文献２は、移動式作業架台の頂部床に、折板成形機が設置される移動式設置台を設け、移動式作業架台だけでなく移動式設置台によって折板成形機自体を頂部床において移動させることができようにしている。
【先行技術文献】
【特許文献】
【０００５】
【特許文献１】特開平７−１５８２２３号公報
【特許文献２】特開２０１９−３１８００号公報
【考案の概要】
【考案が解決しようとする課題】
【０００６】
特許文献２は、建物に沿った方向において移動式作業架台の頂部床の幅分、移動式作業架台自体を移動させることなく折板成形機を移動させることができ、特許文献１に比べて移動式作業架台を頻繁に移動させる必要がない。
【０００７】
しかしながら、折板成形機を移動させる移動領域を確保しなければならないため、移動式作業架台が建物に沿った方向に大型化してしまう。移動式作業架台の大型化は、作業架台を組むための資材が大量に必要になり、資材コストの増加と共に、作業架台の設置コスト（作業員、作業日数）の増加する課題がある。
【０００８】
また、特許文献２は、折板成形機が頂部床の幅分移動すると、移動式作業架台を移動させる必要がある。つまり、頂部床において折板成形機の移動領域を確保しても、大型の移動式作業架台は、建物に沿って移動することになる。
【０００９】
そこで、本考案の目的は、頂部床に折板成形機が設置される移動式作業架台の移動機構において、手間が掛からずかつ移動精度を向上させた屋根葺き用作業架台の移動装置を提供する。
【課題を解決するための手段】
【００１０】
（１）本考案は、建物の屋根施工面に折板を送り出す折板成形機が頂部床に設置された作業架台を、建物に沿って折板の働き幅で移動させる屋根葺き用作業架台の移動装置であり、屋根葺き用作業架台が連結され、建物に沿って敷設されたレール上を移動する移動桁と、移動桁とレールとの間に配置されるチルタンクと、レール上に配置され、移動桁の長手方向端面を押圧して屋根葺き用作業架台に移動力を付与するジャッキ装置とを有する。
【００１１】
ジャッキ装置は、Ｈ型鋼のレールのフランジ部分を把持してジャッキ装置をレール上で固定する固定状態と、固定状態を解除してジャッキ装置のレール上の移動を許容する固定解除状態とを切り替え可能に制御するクランプ機構と、移動桁の長手方向端面に当接し、クランプ機構が固定状態のときに屋根葺き用作業架台に移動力を付与するスライドジャッキ機構と、を備える。
【００１２】
（２）上記（１）において、屋根葺き用作業架台は、折板を送り出す方向を長手方向とした長方形状に形成され、移動桁は、所定の間隔を空けて複数本敷設された各レールに対応して長手方向において複数本設けることができる。そして、複数の移動桁のうち、長手方向の端部に位置する第１移動桁の長さと、第１移動桁よりも長手方向内側に位置する第２移動桁の長さとが、異なるように形成することができ、第２移動桁の長さが第１移動桁の長さよりも長く、または第１移動桁の長さが第２移動桁の長さよりも長くすることができる。
【００１３】
（３）上記（１）又は（２）において、チルタンクは、ブラケットを介して移動桁に固定される。ブラケットは、Ｈ型鋼のレールのフランジ下面内側に延設された第１ガイド部又は／及びＨ型鋼のレールのフランジ側面に位置する第２ガイド部を備えることができる。当該ブラケットは、所定の間隔を空けて複数本敷設された各レールに対応した複数本の移動桁のうちの少なくても２つの移動桁に設けるように構成することができる。
【考案の効果】
【００１４】
本考案によれば、スライドストロークのジャッキ装置で、移動桁を押して移動力を与えつつ、クランプ機構によりレール上で固定状態と固定解除状態を切り替えてジャッキ装置を容易に移動させることができる。このため、手間を掛けずにかつ精度良く屋根葺き用作業架台を移動させることができる。
【００１５】
したがって、頂部床に折板成形機を設置し、折板の働き幅分屋根葺き用作業架台を移動させながら屋根葺き施工を容易にかつ精度良く行うことができ、建物に沿う方向において屋根葺き用作業架台を小型化することができる。小型化によって屋根葺き用作業架台に必要な資材及び組立作業の低減を図ることができる。
【図面の簡単な説明】
【００１６】
【図１】本考案に係る実施例１の屋根葺き用作業架台の移動装置が適用された屋根葺き設備と建物の側面図である。
【図２】本考案に係る実施例１の屋根葺き用作業架台の移動装置が適用された屋根葺き設備の背面図である。
【図３】本考案に係る実施例１の屋根葺き用作業架台の移動装置が適用された屋根葺き設備の上面図である。
【図４】本考案に係る実施例１の屋根葺き用作業架台の移動装置を構成するジャッキ装置を用いた移動工程を説明するための図である。
【図５】本考案に係る実施例１の屋根葺き用作業架台の移動装置の変形例を示す図であり、屋根葺き設備の上面図である。
【図６】本考案に係る実施例１の屋根葺き用作業架台の移動装置の構成及び屋根葺き設備との連結構造を示す図である。
【図７】本考案に係る実施例１の屋根葺き用作業架台の移動装置を構成するチルタンクに適用されるブラケットの一例を示す図である。
【図８】図７におけるＡ−Ａ断面図及びＢ−Ｂ断面図である。
【考案を実施するための形態】
【００１７】
以下、添付図面を参照しながら本考案の実施例について詳細に説明する。
【００１８】
（実施例１）
図１から図８は、本考案に係る実施例１を示す図である。図１は、本実施例の屋根葺き用作業架台の移動装置（以下、移動装置と称する）４０が適用された屋根葺き設備と建物の側面図である。建物は、倉庫や工場、屋内施設などの建屋（鉄骨造、鉄骨鉄筋コンクリート造）であり、折板屋根構造を備えた建物１の屋根葺き工事を示している。なお、各図において、Ｚ方向は、屋根葺き設備及び建物の高さ方向、Ｘ方向は、屋根葺き設備が建物に沿って移動する方向、Ｙ方向は、屋根葺き設備及び建物が並ぶ方向である。各方向は互いに直交する方向である。
【００１９】
屋根葺き工事に用いられる屋根葺き設備は、建物に沿って移動可能な移動式作業架台５０である。移動式作業架台５０の頂部床２０上には、帯状の薄鋼板６１を所定の形状に成形する折板成形機６０と、載置台６３に設置された薄鋼板６１のコイル６２と、折板成形機６０及びコイル６２の間に配置され、コイル６２から引き出された薄鋼板６１を切断する切断機６４と、がＹ方向に一列に設けられている。薄鋼板６１は、ガルバリウム鋼板（登録商標）などの鋼材である。
【００２０】
本実施例は、頂部床２０において折板成形機６０等の移動手段は備えておらず、頂部床２０に固定配置されている。したがって、建物に沿って移動する移動式作業架台５０の頂部床２０に、建物の屋根施工面に送出される折板を成形する折板成形機６０が固定載設され、移動式作業架台５０を折板の働き幅分移動させながら屋根施工を行う。
【００２１】
移動式作業架台５０は、移動装置４０と、仮設工３０と、仮設工３０の上部に設置される頂部床２０とから構成される。移動式作業架台５０は、Ｙ方向を長手方向とする長方形状である。移動式作業架台５０は、施工屋根の高さに合わせて仮設工３０を組み上げた仮設構造物であり、折板成形作業領域である頂部床２０が屋根施工面とほぼ同じ高さに位置している。仮設工３０は、足場材などを組み上げた足場工や支保工であり、頂部床２０及び頂部床２０に設置される折板成形機６０、薄鋼板６１のコイル６２、載置台６３、切断機６４などの荷重を支持する構造体である。なお、仮設工３０の構造や資材は、周知の技術を用いることができるので説明を省略する。
【００２２】
頂部床２０の周囲は、二点鎖線で示すように、単管パイプを組み付けて形成した保護柵が設けられている。なお、折板成形機６０から送出される折板を屋根施工面に送り出すため、建物と面する方向には保護柵は設けられていない。
【００２３】
仮設工３０は、移動装置４０の移動基台４１の上部に構築されており、移動基台４１は、Ｙ方向に沿って延びるＨ型鋼である。仮設工３０の構造に応じて複数本の移動基台４１が、Ｘ方向に並んで配置されている。
【００２４】
移動装置４０は、Ｈ型鋼製のレール１上を移動式作業架台５０が自走するための移動手段である。レール１は、建物に沿ってＸ方向に延設され、地面（設置面）に所定の間隔を空けて複数本敷設されており、本実施例では、移動式作業架台５０のＹ方向の幅内に、４本のレール１Ａ，１Ｂ，１Ｃ，１Ｄが並列配置されている。
【００２５】
本実施例では、頂部床２０と仮設工３０とが作業架台として構築され、作業架台の下部に移動装置４０を設けて、建物に沿ってレール１上を移動可能な移動式作業架台５０となる。
【００２６】
図２は、本実施例の移動装置４０が適用された屋根葺き設備の背面図である。移動装置４０の各移動基台４１は、各移動桁４２Ａ，４２Ｂ，４２Ｃ，４２Ｄとそれぞれ固定される。各移動桁４２Ａ，４２Ｂ，４２Ｃ，４２Ｄは、Ｘ方向に延設され、レール１に沿って移動する。４本のレール１Ａ，１Ｂ，１Ｃ，１Ｄに対応する４本の移動桁４２Ａ，４２Ｂ，４２Ｃ，４２Ｄは、Ｈ型鋼で構成することができる。移動基台４１と、移動桁４２及びレール１とは、Ｘ−Ｙ平面において互いに直交する位置関係となっている。
【００２７】
移動桁４２は、チルタンク４３を介してレール１上に載設される。チルタンク４３は、走行用のローラー部材である。チルタンク４３は、ブラケット４００を介してＹ方向において移動式作業架台５０の内側に位置する移動桁４２Ｂ，４２Ｃに設けられ、１つの移動桁４２Ｂ，４２Ｃそれぞれに、複数台がＸ方向に間隔を空けて配置される。また、Ｙ方向において移動式作業架台５０の一番外側に位置する移動桁４２Ａと移動桁４２Ｄには、ブラケット４５０を介してチルタンク４３が設けられ、１つの移動桁４２Ａ，４２Ｄそれぞれに、複数台がＸ方向に間隔を空けて配置される。
【００２８】
図３は、本実施例の移動装置４０が適用された屋根葺き設備の上面図である。図４は、本実施例の移動装置４０を構成するジャッキ装置４４を用いた移動工程を説明するための図である。図３及び図４に示すように、ジャッキ装置４４は、Ｈ型鋼クランプ機構４４Ａと、スライドジャッキ機構４４Ｂとを備える。ジャッキ装置４４は、レール１上に配置され、Ｈ型鋼クランプ機構４４ＡがＨ型鋼のフランジ部分をＹ方向両端から把持してジャッキ装置４４をクランプ（固定）する。ジャッキ装置４４がレール１上に固定された状態で、スライド（水平）ジャッキ機構４４Ｂが移動桁４２の端面を押圧する。
【００２９】
スライドジャッキのストローク幅分、移動式作業架台５０が移動したら、ジャッキ装置４４のスライドジャッキを初期位置に戻し、Ｈ型鋼クランプ機構４４Ａの固定状態を解除して、移動桁４２の端面に近づけるようにレール１上を移動させる。そして、移動した位置においてＨ型鋼クランプ機構４４Ａでジャッキ装置４４をクランプ固定し、スライドジャッキ機構４４Ｂで移動桁４２の端面を押圧して移動力を与える。なお、ジャッキ装置４４は、レール１上面に当接する走行ローラー４４Ｃを備えることができ、Ｈ型鋼クランプ機構４４Ａの固定解除状態におけるジャッキ装置４４のレール１上の移動を補助している。
【００３０】
このとき、ジャッキ装置４４による移動式作業架台５０の移動工程が完了した後、頂部床２０での屋根葺き施工の作業において移動式作業架台５０が揺れないように、レール１に沿った移動桁４２の移動を規制する措置を施すことができる。例えば、チルタンク４３の走行ローラーにストッパーを取り付けたり、走行ローラーに限らずチルタンク４３の移動を阻止するストッパー部材を配置したりことができる。
【００３１】
ジャッキ装置４４は、図３及び図４に示すように、複数の各移動桁４２Ａ〜４２Ｄそれぞれに設け、各ジャッキ装置４４のストローク及びタイミングを同期させた駆動制御を行うことができる。また、ジャッキ装置４４は、複数の各移動桁４２Ａ〜４２Ｄそれぞれに設けずに、例えば、Ｙ方向において一番外側に位置する両移動桁４２Ａ，４２Ｄの２か所に設置したり、内側の両移動桁４２Ｂ，４２Ｃの２か所に設置したりすることができる。ジャッキ装置４４の数は、任意である。
【００３２】
また、図３に示すように、本実施例では、内側に位置する移動桁４２Ｂ，４２Ｃが、一番外側に位置する移動桁４２Ａ，４２Ｄよりも、Ｘ方向の長さが長く形成されている。各移動桁４２Ａ〜４２Ｄが全て同じ長さでもよいが、Ｙ方向の長尺状の移動式作業架台５０に対して、Ｘ方向への傾倒対策のため、移動桁４２はＸ方向にある程度の長さが必要となる。
【００３３】
一方で、長さが長くなると重量が大きくなるので、その分ジャッキ装置４４の性能も必要になる。そこで、本実施形態では、複数本の移動桁のうち移動方向（Ｘ方向）に長い移動桁を備えるように構成し、他の移動桁は短く形成している。図５の変形例では、図３との例とは逆の構成であり、一番外側に位置する移動桁４２Ａ，４２Ｄが、内側に位置する移動桁４２Ｂ，４２Ｃよりも長く形成されている。
【００３４】
なお、長い移動桁の本数は任意であり、少なくても１本あればよいが、Ｘ方向に幅が小さい移動式作業架台５０をＸ方向に移動させるので、２本以上の長い移動桁を備えるように構成することが好ましい。また、移動桁４２Ａは、移動式作業架台５０のＸ方向端面に対し、左右対称の長さとなるように延設されている。各移動桁４２Ｂ，４２Ｃ，４２Ｄについても同様である。
【００３５】
図６は、本実施例の移動装置４０の構成及び屋根葺き設備との連結構造を示す図である。図６に示すようにＹ方向に延びる移動基台４１とＸ方向に延びる移動桁４２とが交差した領域において、両者のフランジ部をクランプすることで移動基台４１を移動桁４２に連結する。１本の移動基台４１は、複数の各移動桁４２Ａ，４２Ｂ，４２Ｃ，４２Ｄとの各交差領域において複数個所で固定されている。
【００３６】
本実施例では、移動基台４１と移動桁４２との固定手段として鋼材の接合に用いられる治具Ｍを用いる。治具Ｍは、移動基台４１のＨ型鋼の下部フランジと移動桁４２の上部フランジとが重なる領域において、両フランジを２つの口金の間に挟み、固定する。
【００３７】
移動桁４２Ｂ，４２Ｃにおいて、チルタンク４３は、ブラケット４００を介してボルトで締結固定され、チルタンク４３を構成するトッププレートがブラケット４００にボルトで固定され、移動桁４２Ｂ，４２Ｃの下部フランジとブラケット４００とがボルトで固定されている。なお、移動基台４１とＸ方向に延びる移動桁４２との連結にも、ボルト締結を適用してもよい。
【００３８】
図７は、本実施例の移動装置４０を構成するブラケット４５０を備えたチルタンク４３の一例を示す図である。図８は、図７におけるＡ−Ａ断面図及びＢ−Ｂ断面図である。移動装置４０は、チルタンク４３と、２種類のブラケット４００，４５０を用いる。第１チルタンクは、図６に示したブラケット４００を備えるチルタンク４３であり、移動式作業架台５０の内側に位置する移動桁４２Ｂ，４２Ｃに設けられる。ブラケット４００は、板状部材である。なお、ブラケット４５０を備えるチルタンク４３は、少なくても２つの移動桁４２に配置したり、全ての各移動桁４２に配置したりしてもよい。
【００３９】
第２チルタンクは、ブラケット４５０を備えるチルタンク４３であり、Ｙ方向において移動式作業架台５０の一番外側に位置する移動桁４２Ａと移動桁４２Ｄに設けられる。ブラケット４５０は、チルタンク４３のトッププレートと接触してボルトで固定される上部プレート４５１と、第１ガイド部４５２と、第２ガイド部４５３とを有する。
【００４０】
上部プレート４５１は、図７に示すように、第１ガイド部４５２が設けられる領域が、第２ガイド部材４５３が設けられる領域よりもＹ方向に幅広に形成されている。上部プレート４５１は、Ｚ方向上面が移動桁４２と接触してボルトで固定され、Ｚ方向下面がチルタンク４３のトッププレートと接触してボルトで固定される。
【００４１】
第１ガイド部４５２は、図８のＡ−Ａ断面図で示すように、上部プレート４５１から下方に延び、レール１のＨ型鋼のフランジ下面の内側に突出したＬ字状のガイド部材である。第１ガイド部４５２は、Ｙ方向への位置ずれ防止部材であると共に、レール１のＨ型鋼フランジを両側からフランジ下面内側に延設されているのでＺ方向への移動を抑制する浮き上がり防止部材として機能する。
【００４２】
第２ガイド部４５３は、図８のＢ−Ｂ断面図で示すように、レール１のＨ型鋼フランジ側面に対向する位置に配置されるガイド部材であり、Ｙ方向への位置ずれ防止部材として機能する。第２ガイド部４５３は、上部プレート４５１から下方に延びる延設部４５３Ａと、延設部４５３Ａから突出し、Ｈ型鋼フランジ側面に位置するガイドローラ４５３Ｂとで構成されている。
【００４３】
このように本実施例の屋根葺き用の移動式作業架台５０の移動装置４０は、スライドストロークのジャッキ装置４４で、移動桁を押して移動力を与えつつ、Ｈ型鋼クランプ機構４４Ａにより固定状態と固定解除状態を切り替え可能に制御してジャッキ装置４４を移動させることができる。このため、手間を掛けずにかつ精度良く移動式作業架台５０を移動させることができる。
【００４４】
したがって、頂部床２０に折板成形機６０を固定し、折板の働き幅分移動式作業架台５０を移動させながら屋根葺き施工を容易にかつ精度良く行うことができ、建物に沿う方向において移動式作業架台５０を小型化することができる。小型化によって移動式作業架台５０の資材及び組立作業の低減を図ることができる。
【符号の説明】
【００４５】
１  レール
２０  頂部床
３０  仮設工
４０  移動装置
４１  移動基台
４２  移動桁
４３  チルタンク
４４  ジャッキ装置
４００，４５０  ブラケット
５０  移動式作業架台
６０  折板成形機
６１  鋼板
６２  鋼板ロール
６３  ロール載置台
６４  切断機
【図１】
0003223264.tif 000003
【図２】
0003223264.tif 000004
【図３】
0003223264.tif 000005
【図４】
0003223264.tif 000006
【図５】
0003223264.tif 000007
【図６】
0003223264.tif 000008
【図７】
0003223264.tif 000009
【図８】
0003223264.tif 000010